(57)【要約】【課題】フォルトトレラント装置において、固定板をフレームに密着固定する構造のモジュールが故障した際、誤って稼動中のモジュールを交換しないよう確実に知らせる。【解決手段】二重化されたモジュール４（モジュール５も同一）の固定板４ｂの中央寄りの部分に、この部分を支点に回動する梃子板４ｊの一端を固定し、他端に固定板４ｂを筐体２に密着固定するネジ４ｃの頭を脱落しないように保持させる。この梃子板４ｊは、途中の突起４ｍの変位により、ネジ４ｃの取り外しを検出するモジュール基板４ａ内のスイッチ４ｉを動作させる。ブザー制御回路４ｆは、ＬＥＤ制御回路４ｅが停止中を表示している場合、スイッチ４ｉがネジ４ｃの緩みを検出してもブザーを鳴らさず、稼動中を表示している場合には、スイッチ４ｉがネジ４ｃの緩みを検出すれば、モジュール基板４ａ内のブザー４ｈを鳴らして報知する。【選択図】  図１
2006268583.tif 000002
【特許請求の範囲】
【請求項１】
ｎ重化（ｎは２以上の自然数）された交換単位のモジュールが接続されてなるフォルトトレラント装置であって、
各モジュールが、モジュール基板と、このモジュール基板の前面に配置され筐体に密着させて固定部材により固定する固定板と、前記固定部材の変位をモジュール基板側に伝達する伝達部材と、前記モジュール基板側に搭載され前記伝達部材の変位により前記固定部材の緩みを検出する検出手段と、当該モジュールが稼動中か停止中かのステータスを表示する表示制御手段と、前記稼動中の表示時に前記検出手段で前記検出がなされた場合には誤操作の報知信号を出力する報知制御手段と、前記報知信号により誤操作を報知する報知手段とを、備えることを特徴とするフォルトトレラント装置。
【請求項２】
前記伝達部材が、前記固定部材の頭部を保持して前記固定板の中央寄りの部分を支点として回動する梃子部材であり、前記検出手段が、前記梃子部材の途中に設けた突起の変位により前記固定部材を取り外そうとすることを検出するものであることを特徴とする請求項１記載のフォルトトレラント装置。
【請求項３】
前記ｎ重化された交換単位のモジュールが、二重化又は三重化されたモジュールであることを特徴とする請求項１又は２記載のフォルトトレラント装置。
【請求項４】
前記稼動中が、三重化動作中、二重化動作中、片系で動作中のいずれかであることを特徴とする請求項３記載のフォルトトレラント装置。
【請求項５】
前記報知手段が、誤操作を音声メッセージで報知するものであることを特徴とする請求項１乃至４のいずれか１に記載のフォルトトレラント装置。
【発明の詳細な説明】
【技術分野】
【０００１】
この発明は、システムダウンを防止する情報処理装置等のフォルトトレラント装置に係り、詳しくは、故障したモジュールの交換作業において、交換対象外の稼動中のモジュールを誤って引き抜いてシステムダウンさせてしまう危険性を防止するフォルトトレラント装置に関する。
【背景技術】
【０００２】
従来のフォルトトレラントサーバ（ｆｔサーバ）の構成を、図５を参照して説明する。フォルトトレラントサーバは、システムダウンを避けるために、回路構成を二重化し、一方の系でシステムを動作させている間、他方の系も動作させて待機させ、一方の系に故障が発生した場合には、待機している系でシステムを動作させることにより、システムダウンの発生を防止している。この間に故障した系を修理し、再び二重化の制御を行い、システムダウンの発生を防止する。フォルトトレラント技術としては、三重化の構成も知られている。この場合、３つの系を同期させながら動作させ、多数決をとって情報の入出力を行うことにより、情報の信頼性を高めるとともに、システムダウンの発生を防止している。三重化の制御の間に、３つの系のうち一つの系が故障した場合には２つの系で二重化の制御を行い、２つの系が故障した場合には残りの単独の系でシステムを動作させ、システムダウンの発生を防止する。
【０００３】
図７において、フォルトトレラントサーバ１は、筐体２、バックプレーン３、モジュール４、及びモジュール５により構成されている。モジュール４及びモジュール５は、図中の左側より筐体２に挿入され、バックプレーン３にコネクタ等によって挿抜自在に接続されている。モジュール４とモジュール５は、同一のＨＷ（ハードウェア）となっており、二重化制御回路４ｄ，５ｄは、バックプレーン３を介して相互に通信し、上述のような二重化の制御を行う。モジュール４のステータスは、主に「二重化動作中」、「片系で動作中」、「停止中」の３通りあり、二重化制御回路４ｄは、信号線４ｐを介してモジュール４のステータス情報をＬＥＤ制御回路４ｅへ通知する。ＬＥＤ制御回路４ｅは、モジュールのステータスによりＬＥＤ（発光ダイオード）４ｇの点灯色を決定し、ＬＥＤ４ｇに点灯指示信号であるＬＥＤ制御信号を、信号線４ｑを介して送信する。ＬＥＤ４ｇは、ＬＥＤ制御回路４ｅからの点灯指示により指定の色を点灯する。モジュール５も、モジュール４と同じＬＥＤ制御が行われる。モジュール４又はモジュール５が故障により停止した場合、保守作業者は、ＬＥＤ４ｇの点灯色により停止中のモジュールを判断し、故障モジュールの交換を行うのが一般的であった。
【０００４】
しかし、人間はミスを犯すものであり、保守作業者が誤って交換対象外のモジュールを引き抜いてしまう可能性がある。このため、特許文献１では、プリント基板（モジュールに相当する）が故障し切り離し対象となった場合、故障／切り離しを表示して操作員（保守作業者等）に交換を知らせるとともに、この故障のプリント基板を通電中に抜き取る場合、誤って対象外のプリント基板を抜き取らないように、故障／切り離しではないプリント基板の挿抜用金具に操作員が接触した場合には、この接触を検出して誤抜去がなされようとしていると判定し、警告用の信号を発するようにしている。警報器は、各プリント基板から発せられる警告用の信号を受け、操作員に対し抜去対象外のプリント基板への接触を警告している。
【０００５】
また、特許文献２では、電子装置が動作中であるとき、バックパネルにコネクタ接続されている電子回路ユニット（モジュールに相当する）をオペレータが誤って抜いてしまうことを防止するために、電子回路ユニットをフレーム（筐体）に固定する構造として、ワッシャの付いた特殊なロックネジを使用し、モジュール前面の固定板をフレームから間隔を開けて浮かせて固定するようにして、フレームの外側でこのワッシャによりモジュール基板内の挿抜監視スイッチのレバーを移動可能とすることにより、このロックネジを緩めると挿抜監視スイッチが動作するようにし、電子回路の動作中に挿抜監視スイッチが動作した場合には、各電子回路ユニットに共通の警報発生回路から、警報を発するようにしている。
【特許文献１】特開平０６−２９５２５０号公報
【特許文献２】特開平０９−３３１１７０号公報
【発明の開示】
【発明が解決しようとする課題】
【０００６】
しかしながら、上記従来の技術には、以下のような問題点があった。即ち、上記従来のフォルトトレラントサーバにおいては、保守作業者が故障したモジュールを交換する際、モジュールのステータスを表示するＬＥＤの表示状態を確認して交換対象のモジュールを判断していたため、保守作業者の判断ミスにより稼動中のモジュールを取り外してシステムダウンさせてしまう危険性があるという問題である。
【０００７】
そこで、特許文献１に記載されているように、故障／切り離しとされたモジュールではない交換対象外のモジュールを交換しようとして、当該モジュールに接触した場合には、各モジュールに共通の警報部により警報を鳴動させるようにしている。この場合では、第一に、モジュール幅が狭く、フレームなどの導体があるため、モジュール毎に誤り無く接触を識別するのはなかなか難しいという問題がある。第二に、共通のブザーで警報を発すると、離れたところでブザーが鳴るので、何が原因でブザーがなっているのか、とっさには判断がつかず、判断ミスを回避できない可能性があるという問題がある。
【０００８】
上記特許文献１の第一の問題を解決する方策としては、特許文献２に記載されているようなモジュール前面の固定板をフレームに固定するネジの緩みを検出する手法が考えられる。しかし、この固定ネジは、一般的にモジュールを挿入したフレームの上下の一方又は双方の枠内のタップ等に固定するものなので、モジュールを構成している基板の外側に位置しているため、基板を挿入した後のフレーム内で緩み検出を行うには困難が伴う。特許文献２では、ワッシャの付いた特殊な固定ネジを使用し、モジュール前面の固定板をフレームから間隔を開けて浮かせた状態で固定し、フレームの外側でこのワッシャによりモジュール基板内の挿抜監視スイッチのレバーを移動可能とし、固定ネジの緩みを検出している。一般的なモジュールの固定構造としては、モジュール前面の固定板をフレームに密着させて固定する構造であるが、特許文献２の技術では、特殊な固定ネジや固定板をフレームから間隔を開けて浮かして取り付けるため、イジェクタ等を簡単には取り付けられないなど、モジュールの固定構造が特殊なものとなり、一般的なモジュールの固定構造をとることができないという問題がある。
【０００９】
この発明は、上述の事情に鑑みてなされたものであって、保守交換単位のモジュールの前面にある固定板を筐体に対して密着固定する一般的な固定構造をとることができ、このモジュールが故障等により停止となった場合に、保守作業者が交換対象でない稼動中のモジュールを引き抜こうとした際には、保守作業者へ確実に誤操作を知らせることができるフォルトトレラント装置を提供することを目的としている。
【課題を解決するための手段】
【００１０】
上述の課題を解決するため、請求項１記載の発明はフォルトトレラント装置に係り、ｎ重化（ｎは２以上の自然数）された交換単位のモジュールが接続されてなるフォルトトレラント装置であって、各モジュールが、モジュール基板と、このモジュール基板の前面に配置され筐体に密着させて固定部材により固定する固定板と、前記固定部材の変位をモジュール基板側に伝達する伝達部材と、前記モジュール基板側に搭載され前記伝達部材の変位により前記固定部材の緩みを検出する検出手段と、当該モジュールが稼動中か停止中かのステータスを表示する表示制御手段と、前記稼動中の表示時に前記検出手段で前記検出がなされた場合には誤操作の報知信号を出力する報知制御手段と、前記報知信号により誤操作を報知する報知手段とを、備えることを特徴としている。
【００１１】
また、請求項２記載の発明は、請求項１記載のフォルトトレラント装置に係り、前記伝達部材が、前記固定部材の頭部を保持して前記固定板の中央寄りの部分を支点として回動する梃子部材であり、前記検出手段が、前記梃子部材の途中に設けた突起の変位により前記固定部材を取り外そうとすることを検出するものであることを特徴としている。
【００１２】
また、請求項３記載の発明は、請求項１又は２記載のフォルトトレラント装置に係り、前記ｎ重化された交換単位のモジュールが、二重化又は三重化されたモジュールであることを特徴としている。
【００１３】
また、請求項４記載の発明は、請求項３記載のフォルトトレラント装置に係り、前記稼動中が、三重化動作中、二重化動作中、片系で動作中のいずれかであることを特徴としている。
【００１４】
また、請求項５記載の発明は、請求項１乃至４のいずれか１に記載のフォルトトレラント装置に係り、前記報知手段が、誤操作を音声メッセージで報知するものであることを特徴としている。
【発明の効果】
【００１５】
以上説明したように、この発明の構成によれば、第１の効果として、保守作業者が交換対象でない稼動中のモジュールを引き抜こうとして、固定板の固定部材を取り外そうとした際には、これを検出手段を用いて検出して当該モジュール内の報知手段で報知するようにしたので、保守作業者へ確実に誤操作を知らせることができるようになり、保守作業者が誤って稼動中のモジュールを引き抜いてシステムダウンさせてしまう危険性を防止することができることである。また、第２の効果として、モジュール前面の固定板を筐体に密着固定する固定部材の取り付け状態を梃子（てこ）部材等の伝達部材によりモジュール基板内で感知できるようにしたので、一般的な固定構造のモジュールに適用することができることである。
【発明を実施するための最良の形態】
【００１６】
この発明は、保守交換単位のモジュールの前面にある固定板を筐体に対して密着固定する一般的な固定構造をとることができ、このモジュールが故障等により停止となった場合に、保守作業者が交換対象でない稼動中のモジュールを引き抜こうとした際には、保守作業者へ確実に誤操作を知らせることができるフォルトトレラント装置を提供するという目的を、保守交換単位のモジュール毎に、ブザーと、このブザーの鳴動制御を行うブザー制御回路と、筐体に密着してモジュール前面の固定板を固定するネジの取り付け状態を梃子（てこ）板によりモジュール基板内で感知するスイッチとを設け、停止中の表示点灯指令が発生している場合には、スイッチが固定用のネジの緩みを検知しても、ブザー制御回路は正規の操作と判断してブザーを鳴動させず、交換対象外のモジュールを引き抜こうとして稼動中のモジュールを固定しているネジを緩めた場合には、スイッチがこのネジの緩みを検知すれば、ブザー制御回路は稼動中のモジュールに対する誤操作と判断して当該モジュールのブザーを鳴動させ、保守作業者へ当該誤操作を知らせることで実現した。
以下、図面を参照して、この発明の実施の形態について説明する。説明は、実施例を用いて具体的に行う。
【実施例１】
【００１７】
まず、この発明の第１実施例について説明する。図１はこの実施例であるサーバ等の情報処理装置の電気的構成を示すブロック図である。図１において、サーバ等の情報処理装置１は、筐体２、バックプレーン３、モジュール４及びモジュール５により構成されている。モジュール４及びモジュール５は、回路を搭載したモジュール基板４ａ，５ａからなり、その前面には固定板４ｂ，５ｂが取り付けられている。モジュール４及びモジュール５は、図中の左側より筐体２に挿入され、バックプレーン３にコネクタ等で電気的に接続され、固定板４ｂ，５ｂがネジ４ｃ，５ｃで筐体２のモジュール挿入口の上縁又は下縁に密着して固定される。モジュール４及びモジュール５を取り外す場合には、ネジ４ｃ及びネジ５ｃを緩め、図中の左側方向に引き抜くことにより取り外すことができる。
【００１８】
モジュール４及びモジュール５は、同一のＨＷ（ハードウェア）となっており、二重化制御回路４ｄ，５ｄ、ＬＥＤ制御回路４ｅ，５ｅ、ブザー制御回路４ｆ,５ｆをモジュール基板４ａ，５ａに搭載している。ＬＥＤ４ｇ、５ｇ及びブザー４ｈ，５ｈは、固定板４ｂ、５ｂに取り付けるか、固定板４ｂ、５ｂから見聞きできるようにモジュール基板４ａ，５ａに搭載する。スイッチ４ｉ，５ｉは、ネジ４ｃ，５ｃの取り外しを後記の伝達部材（梃子板４ｊ，５ｊ）で感知するものであるが、図では模式的に描いてある。このスイッチ４ｉ，５ｉとしては、マイクロスイッチやフォトセンサ等の変位を検出する各種の検出手段を用いることができる。
【００１９】
モジュールを挿入して筐体に固定する固定構造の詳細について、図２の側面図及び図３の正面図を用いて説明する。ここでは、モジュール４の構成について説明するが、モジュール５の構成も同じである（符号４を５に読み替える）。固定板４ｂには、その前面の中央よりに樹脂等で折り曲げ自在に形成された梃子板４ｊの一端が固定されている。この結果、梃子板４ｊは、固定板４ｂの中央寄りの部分を支点として回動することができる。梃子板４ｊの他端には、ネジ４ｃが筐体２のモジュール挿入口の下縁に固定されるところに位置し、ネジ４ｃを挿通する穴４ｋが開けられている。この穴４ｋには、ネジ４ｃの頭が座金等により脱落しないように取り付ける。また、梃子板４ｊの途中には、モジュール基板４ａに向けて突起４ｍを設ける。固定板４ｂには、この突起４ｍが挿通する穴４ｎを開け、その位置のモジュール基板４ａ側に、梃子板４ｊが固定板４ｂに密着したときの突起４ｍの変位を検知するための上記スイッチ４ｉを配置する。なお、この固定構造は、図例とは逆に固定板４ｊの上端側に設けても良いし、上端側と下端側の両方に設けても良い。この固定構造を設けない片端側（図例では上端側）では、通常のネジ固定を行っても良いし、場合によっては省略しても構わない。
【００２０】
次に、この実施例の動作例について説明する。モジュール基板４ａ，５ａに搭載されている二重化制御回路４ｄ，５ｄは、バックプレーン３を介して相互に通信し、二重化の制御を行う。モジュール４のステータス（動作状態）は、主に「二重化動作中」、「片系で動作中」、「停止中」の３通りあり、二重化制御回路４ｄは、信号線４ｐを介してモジュール４のステータス情報をＬＥＤ制御回路４ｅへ送信する。ＬＥＤ制御回路４ｅは、モジュールのステータスによりＬＥＤ４ｇの点灯色を決定し、ＬＥＤ４ｇ及びブザー制御回路４ｆに信号線４ｑを介して点灯指示信号であるＬＥＤ制御信号を送信する。ＬＥＤの点灯色の例としては、「二重化動作中」の時は緑色、「片系で動作中」の時はアンバー（燈色）、「停止中」の時は赤色の３色を点灯させることができ、ＬＥＤ４ｇは、ＬＥＤ制御回路４ｅからのＬＥＤ制御信号により指定されたステータスを表す色を点灯する。
【００２１】
スイッチ４ｉは、筐体２へのネジ４ｃの取り付け状態を梃子板４ｊに設けた突起４ｍの変位により感知し、信号線４ｒを介してスイッチ制御信号をブザー制御回路４ｆへ送信する。ブザー制御回路４ｆは、ＬＥＤ制御信号によりモジュールのステータスを判断すると同時に、スイッチ制御信号により信号線４ｓを介してブザー４ｈに対しブザー鳴動信号の指令を出す。二重化制御回路５ｄ，ＬＥＤ制御回路５ｅ，ＬＥＤ５ｇ、ブザー５ｈ、ブザー制御回路５ｆ、スイッチ５ｉ、ネジ５ｃ、梃子板５ｊ、突起５ｍ、信号線５ｐ、信号線５ｑ、信号線５ｒ、信号線５ｓは、それぞれ上述したモジュール４の対応する符号の各構成要素と同一の機能を持つ。
【００２２】
次に、モジュール５に故障が発生し、モジュール５を交換する場合について、図４及び図５を用いて説明する。モジュール５に故障が発生し、装置からモジュール５が論理的に切り離された場合、ＬＥＤ５ｇは赤点灯（停止中の表示）となる。このとき、モジュール４は、片系で動作中となるため、ＬＥＤ４ｇはアンバー点灯となる。ここで、モジュール５を交換するためネシ５ｃを緩めると、スイッチ５ｉが感知し、信号線５ｒを介してスイッチ制御信号をブザー制御回路５ｆへ送信する。しかし、ＬＥＤ５ｇが赤点灯状態（停止中の表示）であることにより、ブザー制御回路５ｆは、ブザー５ｈに対しブザー鳴動指示を出さないため、モジュール５を取り外して交換することが可能となる。
【００２３】
ここで、保守作業者が、誤って稼動中（片系で動作中）のモジュール４を交換しようとしてネジ４ｃを緩めた場合には、梃子板４ｊに設けた突起４ｍが、ネジ４ｃの緩みに伴ってモジュール基板４ａから離れる方向に移動して変位するので、この変位をスイッチ４ｉが感知し、スイッチ４ｉは、信号線４ｒを介してスイッチ制御信号をブザー制御回路４ｆへ送信する。ＬＥＤ４ｇはアンバー点灯状態（片系で動作中の表示）であるため、ブザー制御回路４ｆは、モジュール４内のブザー４ｈに対しブザー鳴動指示を出し、ブザー４ｈが鳴動する。このため、保守作業者は、交換対象ではないモジュールを交換しようとしている誤りに確実に気がつく。従って、故障が発生したモジュールを交換する際、保守作業者が誤って稼動中のモジュールを引き抜いてシステムダウンさせてしまう危険性を確実に防止することができる。
【実施例２】
【００２４】
次に、この発明の第２実施例について説明する。図６は、この実施例であるサーバ等の情報処理装置の電気的構成を示すブロック図である。この実施例は、モジュールを三重化構成としている情報処理装置について適用した例である。この実施例が実施例１と異なるところは、３つのモジュールが三重化の動作をする点である。その他は、実施例１とほぼ同様であり、容易に類推できるので、上記の異なる点を中心に説明し、実施例１と同様の部分については説明を省略する。
【００２５】
図４において、情報処理装置１は、筐体２、バックプレーン３、モジュール４及びモジュール５の他に、モジュール４、５と同一のＨＷ（ハードウェア）構成のモジュール６により構成されている。これらのモジュール４，５，６は、実施例１と同様に、図中の左側より筐体２に挿入され、モジュール基板４ａ，５ａ，６ａの後部がコネクタ等でバックプレーン３に電気的に接続され、モジュール４，５，６の前面の固定板４ｂ，５ｂ，６ｂがネジ４ｃ，５ｃ，６ｃで筐体２のモジュール挿入口の上縁又は下縁に密着して固定される。モジュール４，５，６を取り外す場合には、ネジ４ｃ，５ｃ，６ｃを緩め、図中の左側方向に引き抜くことにより取り外すことができる。
【００２６】
この実施例のモジュール４，５，６が、実施例１のモジュール４，５と異なるところは、二重化制御回路に代えて三重化制御回路４ｔ，５ｔ，６ｔがモジュール基板４ａ，５ａ，６ａに搭載されている点である。三重化制御回路４ｔ，５ｔ，６ｔは、バックプレーン３を介して相互に通信し、三重化の制御を行い、それぞれのモジュールのステータスとして、主に「三重化動作中」、「二重化動作中」、「片系で動作中」、「停止中」の４通りのステータス情報を、信号線４ｐ，５ｐ，６ｐを介して各モジュールのＬＥＤ制御回路４ｅ，５ｅ，６ｅへ通知する。
【００２７】
ＬＥＤ制御回路４ｅ，５ｅ，６ｅは、モジュールのステータスによりＬＥＤ４ｇ，５ｇ，６ｇの点灯色を決定し、ＬＥＤ４ｇ，５ｇ，６ｇ及びブザー制御回路４ｆ，５ｆ，６ｆに信号線４ｑ，５ｑ，６ｑを介して点灯指示信号であるＬＥＤ制御信号を送信する。ＬＥＤの点灯色の例としては、「三重化動作中」及び「二重化動作中」の時は緑色、「片系で動作中」の時はアンバー（橙色）、「停止中」の時は赤色の３色を点灯させることができ、ＬＥＤ４ｇ，５ｇ，６ｇは、ＬＥＤ制御回路４ｅ，５ｅ，６ｅからのＬＥＤ制御信号により指定されたステータスを表す色を点灯する。
【００２８】
モジュールを挿入して筐体に固定する固定構造については、実施例１と同じく固定板を筐体に密着して固定するという一般的な固定構造である。スイッチ４ｉ，５ｉ，６ｉは、筐体２へのネジ４ｃ，５ｃ，６ｃの取り付け状態を梃子板４ｊ，５ｊ，６ｊに設けた突起４ｍ，５ｍ，６ｍの変位により感知し、信号線４ｒ，５ｒ，６ｒを介してスイッチ制御信号をブザー制御回路４ｆ，５ｆ，６ｆへ送信する。ブザー制御回路４ｆ，５ｆ，６ｆは、ＬＥＤ制御信号によりモジュールのステータスが「停止中」であると判断した場合には、スイッチ制御信号を受けてもブザー鳴動信号の指令は出さない。モジュールのステータスが「停止中」以外の稼動中（「三重化動作中」、「二重化動作中」、「片系で動作中」）であると判断した場合には、スイッチ制御信号により信号線４ｓ，５ｓ，６ｓを介してブザー４ｈ，５ｈ，６ｈに対しブザー鳴動信号の指令を出す。
【００２９】
この実施例においても、モジュールを二重化した実施例１の情報処理装置と同様に、固定板を筐体に密着して固定するという一般的な固定構造をとることができるとともに、ステータスが「停止中」の時のみ、モジュールを外すためにネジを緩めてもブザーを鳴動させず、稼動中（「三重化動作中」、「二重化動作中」、「片系で動作中」）のモジュールを外そうとしてネジを緩めるとモジュール内のブザーを鳴動させることにより、故障モジュールの交換時に稼動中のモジュールを取り外してシステムダウンさせてしまうことを確実に防止することができる。
【００３０】
以上、この発明の実施例を図面により詳述してきたが、具体的な構成はこの実施例に限られるものではなく、この発明の要旨を逸脱しない範囲の設計の変更等があってもこの発明に含まれる。例えば、上述の実施例では、サーバ等の情報処理装置に適用した例について説明したが、信頼性を要求される各種の制御装置等にも適用することができる。
【００３１】
各実施例では、各系のモジュールが１個である場合を図示しているが、各系のモジュールが複数で構成されていても構わない。また、各実施例では、モジュールの取り外しを容易にするイジェクタ等を省略しているが、イジェクタ等は、この発明が一般的な固定構造に適用したものであることから、簡単に設けることが可能であり、当然あっても構わない。また、固定用のネジに代えて、例えば、筐体側の穴を挿通させると奥で弾性により大径になり、力を加えて引き抜かない限りは固定されるような樹脂等で作られた固定部材であっても良い。更に、各実施例では、報知手段としてモジュール内にブザーを設けて誤操作を報知しているが、「稼動中のモジュールを取り外そうとしています」等の音声メッセージで報知すれば、より一層、確実に誤操作の防止を図ることができる。
また、上述の実施例では、２重化モジュール、３重化モジュールの場合について述べたが、これらに限定するものではなく、必要に応じて、４重化、あるいは、それ以上であっても良い。
【産業上の利用可能性】
【００３２】
この発明は、サーバ等の情報処理装置以外に、信頼性を要求される各種の制御装置等にも好適に利用可能である。
【図面の簡単な説明】
【００３３】
【図１】この発明の第１実施例である二重化モジュールで構成した情報処理装置の電気的構成を示すブロック図である。
【図２】同モジュールの固定構造例を示す側面図である。
【図３】同モジュールの固定構造例を示す正面図である。
【図４】同モジュールの交換操作時の動作例を説明する図である。
【図５】同モジュールの動作例を示す図である。
【図６】この発明の第２実施例である三重化モジュールで構成した情報処理装置の電気的構成を示すブロック図である。
【図７】従来例である二重化モジュールで構成されたフォルトトレラントサーバの電気的構成を説明するブロック図である。
【符号の説明】
【００３４】
１  情報処理装置（フォルトトレラント装置）
２  筐体
４，５，６  モジュール
４ａ，５ａ，６ａ  モジュール基板
４ｂ，５ｂ，６ｂ  固定板
４ｃ，５ｃ，６ｃ  ネジ（固定部材）
４ｅ，５ｅ，６ｅ  ＬＥＤ制御回路（表示制御手段）
４ｆ，５ｆ，６ｆ  ブザー制御回路（報知制御手段）
４ｈ，５ｈ，６ｈ  ブザー（報知手段）
４ｉ，５ｉ，６ｉ  スイッチ（検出手段）
４ｊ，５ｊ，６ｊ  梃子板（伝達部材、梃子部材）
４ｍ，５ｍ，６ｍ  突起
【図１】
2006268583.tif 000003
【図２】
2006268583.tif 000004
【図３】
2006268583.tif 000005
【図４】
2006268583.tif 000006
【図５】
2006268583.tif 000007
【図６】
2006268583.tif 000008
【図７】
2006268583.tif 000009